(57)【要約】【課題】地球温暖化係数の低い可燃性冷媒を用いて環境への負荷を軽減しつつ、室内機ユニットを設置可能な空間の制限を抑制する。【解決手段】外気を送風する室外ファン２０と、室外ファン２０により送風される外気と第１可燃性冷媒との熱交換を行う第１室外熱交換器３０と、室外ファン２０により送風される外気と第２可燃性冷媒との熱交換を行う第２室外熱交換器３５と、第１室内機ユニット２００に接続されるとともに第１室内機ユニット２００と第１室外熱交換器３０との間で第１可燃性冷媒を循環させるための第１冷媒回路８０と、第２室内機ユニット３００に接続されるとともに第２室内機ユニット３００と第２室外熱交換器３５との間で第２可燃性冷媒を循環させるための第２冷媒回路８５と、を備える室外機ユニット１００を提供する。【選択図】図１
2020153593.tif 000002
【特許請求の範囲】
【請求項１】
筐体と、
前記筐体に収容されるとともに外気を送風するファンと、
前記筐体に収容されるとともに前記ファンにより送風される外気と第１可燃性冷媒との熱交換を行う第１熱交換器と、
前記筐体に収容されるとともに前記ファンにより送風される外気と第２可燃性冷媒との熱交換を行う第２熱交換器と、
第１室内機ユニットに接続されるとともに前記第１室内機ユニットと前記第１熱交換器との間で前記第１可燃性冷媒を循環させるための第１冷媒回路と、
第２室内機ユニットに接続されるとともに前記第２室内機ユニットと前記第２熱交換器との間で前記第２可燃性冷媒を循環させるための第２冷媒回路と、を備える室外機ユニット。
【請求項２】
前記第１熱交換器は、前記ファンによる外気の送風方向と直交する第１平面に沿って配置される第１熱交換部を有し、
前記第２熱交換器は、前記送風方向に直交するとともに前記第１平面よりも前記送風方向の下流側の第２平面に沿って配置される第２熱交換部を有する請求項１に記載の室外機ユニット。
【請求項３】
前記第１冷媒回路に接続される前記第１室内機ユニットは、前記第２冷媒回路に接続される前記第２室内機ユニットよりも熱交換能力が高い請求項２に記載の室外機ユニット。
【請求項４】
前記第１熱交換器は、
前記ファンによる外気の送風方向に直交する第１平面に沿って配置される第１の上流側熱交換部と、
前記送風方向に直交するとともに前記第１平面よりも前記送風方向の下流側の第２平面に沿って配置される第１の下流側熱交換部と、を有し、
前記第２熱交換器は、
前記第１の下流側熱交換部よりも前記送風方向の上流側に前記第１平面に沿って配置される第２の上流側熱交換部と、
前記第１の上流側熱交換部よりも前記送風方向の下流側に前記第２平面に沿って配置される第２の下流側熱交換部と、を有する請求項１に記載の室外機ユニット。
【請求項５】
前記第１冷媒回路を流通する前記第１可燃性冷媒を圧縮する第１圧縮機と、
前記第１圧縮機により圧縮された前記第１可燃性冷媒を前記第１熱交換器へ吐出するとともに前記第１室内機ユニットから供給される前記第１可燃性冷媒を前記第１圧縮機に吸入させる冷房サイクルと、前記第１圧縮機により圧縮された前記第１可燃性冷媒を前記第１室内機ユニットへ吐出するとともに前記第１熱交換器から供給される前記第１可燃性冷媒を前記第１圧縮機に吸入させる暖房サイクルと、を切り換える第１切換弁と、
前記第２冷媒回路を流通する前記第２可燃性冷媒を圧縮する第２圧縮機と、
前記第２圧縮機により圧縮された前記第２可燃性冷媒を前記第２熱交換器へ吐出するとともに前記第２室内機ユニットから供給される前記第２可燃性冷媒を前記第２圧縮機に吸入させる冷房サイクルと、前記第２圧縮機により圧縮された前記第２可燃性冷媒を前記第２室内機ユニットへ吐出するとともに前記第２熱交換器から供給される前記第２可燃性冷媒を前記第２圧縮機に吸入させる暖房サイクルと、を切り換える第２切換弁と、を備える請求項２から請求項４のいずれか一項に記載の室外機ユニット。
【請求項６】
前記第１熱交換器が着霜したことを検知する第１着霜検知部と、
前記第２熱交換器が着霜したことを検知する第２着霜検知部と、
前記第１切換弁および前記第２切換弁を制御する制御部と、を備え、
前記制御部は、前記第１冷媒回路および前記第２冷媒回路の双方が前記暖房サイクルを形成している状態において、前記第１着霜検知部が前記第１熱交換器の着霜を検知した場合と前記第２着霜検知部が前記第２熱交換器の着霜を検知した場合のいずれにおいても、前記第１冷媒回路および前記第２冷媒回路の双方が前記暖房サイクルを前記冷房サイクルに一時的に切り換えて除霜するよう前記第１切換弁および前記第２切換弁を制御する請求項５に記載の室外機ユニット。
【請求項７】
請求項１から請求項６のいずれか一項に記載の室外機ユニットと、
前記第１室内機ユニットと、
前記第２室内機ユニットと、を備える空気調和装置。
【請求項８】
複数の前記第１室内機ユニットと、
複数の前記第２室内機ユニットと、を備える請求項７に記載の空気調和装置。
【発明の詳細な説明】
【技術分野】
【０００１】
本発明は、室外機ユニットおよびそれを備えた空気調和装置に関するものである。
【背景技術】
【０００２】
室内の冷暖房を行う空気調和装置の冷媒として、Ｒ４１０Ａ冷媒が広く用いられているが、地球温暖化係数（ＧＷＰ：Ｇｌｏｂａｌ−Ｗａｒｍｉｎｇ  Ｐｏｔｅｎｔｉａｌ）が高いことが問題視されている。そこで、近年では、地球温暖化係数がＲ４１０Ａ冷媒（ＧＷＰ＝２０９０）よりも低いＲ３２冷媒（ＧＷＰ＝６７５）等の使用が開始されている。Ｒ３２冷媒は、地球温暖化係数がＲ４１０Ａ冷媒よりも低い点で有利であるが、この冷媒のガスは可燃性（微燃性）を有しており、取扱いに十分な注意が必要である。
【先行技術文献】
【特許文献】
【０００３】
【特許文献１】特開２０１６−２１７５８２号公報
【発明の概要】
【発明が解決しようとする課題】
【０００４】
可燃性を有する冷媒（以下、可燃性冷媒という。）については、室内で漏洩した場合の安全性が求められており、例えば、国際電気標準会議の国際規格（IEC60335-2-40）等によれば、冷媒回路に封入される冷媒量が多くなるほど室内機が設置される空間の最小床面積を大きくするように規定している。特に、１台の室外機ユニットに複数台の室内機ユニットを並列に接続して運転するマルチ形空気調和機では、冷媒回路に封入される冷媒量が多くなるため、室内機ユニットを設置可能な空間が制限されてしまう。
【０００５】
本発明は、このような事情に鑑みてなされたものであって、複数の室内機ユニットに接続される室外機ユニットおよびそれを備えた空気調和装置において、地球温暖化係数の低い可燃性冷媒を用いて環境への負荷を軽減しつつ、室内機ユニットを設置可能な空間の制限を抑制することを目的とする。
【課題を解決するための手段】
【０００６】
上記課題を解決するために、本発明の室外機ユニットは以下の手段を採用する。
本発明の一態様に係る室外機ユニットは、筐体と、前記筐体に収容されるとともに外気を送風するファンと、前記筐体に収容されるとともに前記ファンにより送風される外気と第１可燃性冷媒との熱交換を行う第１熱交換器と、前記筐体に収容されるとともに前記ファンにより送風される外気と第２可燃性冷媒との熱交換を行う第２熱交換器と、第１室内機ユニットに接続されるとともに前記第１室内機ユニットと前記第１熱交換器との間で前記第１可燃性冷媒を循環させるための第１冷媒回路と、第２室内機ユニットに接続されるとともに前記第２室内機ユニットと前記第２熱交換器との間で前記第２可燃性冷媒を循環させるための第２冷媒回路と、を備える。
【０００７】
本発明の一態様に係る室外機ユニットによれば、第１室内機ユニットと第１熱交換器との間で第１可燃性冷媒を循環させるための第１冷媒回路と、第２室内機ユニットと第２熱交換器との間で第２可燃性冷媒を循環させるための第２冷媒回路とを備え、いずれの冷媒回路でも地球温暖化係数の低い可燃性冷媒が用いられるため、環境への負荷を軽減することができる。
【０００８】
また、室外機ユニットは、第１室内機ユニットおよび第２室内機ユニットの双方に接続される単一の冷媒回路を備えるのではなく、双方をそれぞれ接続する独立した２つの冷媒回路を備える。そのため、２つの室内機ユニットを単一の冷媒回路に接続する場合に比べ、各冷媒回路に封入される可燃性冷媒の量を少なくし、室内機ユニットを設置可能な空間の制限を抑制することができる。
【０００９】
本発明の一態様に係る室外機ユニットにおいて、前記第１熱交換器は、前記ファンによる外気の送風方向と直交する第１平面に沿って配置される第１熱交換部を有し、前記第２熱交換器は、前記送風方向に直交するとともに前記第１平面よりも前記送風方向の下流側の第２平面に沿って配置される第２熱交換部を有する構成でもよい。
第１熱交換器の第１熱交換部と第２熱交換器の第２熱交換部とが、それぞれ外気の送風方向の異なる位置に配置されるため、各熱交換部を外気が通過する開口面積を大きく確保し、熱交換効率を向上させることができる。
【００１０】
上記構成の室外機ユニットにおいて、前記第１冷媒回路に接続される前記第１室内機ユニットは、前記第２冷媒回路に接続される前記第２室内機ユニットよりも熱交換能力が高くてもよい。
第１熱交換器と第２熱交換器の双方を暖房サイクルまたは冷房サイクルのいずれかに切り換えた場合、送風方向の上流側に配置される第１熱交換部で熱交換した後の外気が第２熱交換部へ流入するため、第１熱交換部に比べて第２熱交換部の熱交換量が低下する。そこで、第１冷媒回路に接続される第１室内機ユニットの熱交換能力を第２冷媒回路に接続される第２室内機ユニットの熱交換能力よりも高くすることで、第１熱交換部と第２熱交換部の熱交換量の差による各室内機ユニットの性能低下を抑制することができる。
【００１１】
本発明の一態様に係る室外機ユニットにおいて、前記第１熱交換器は、前記ファンによる外気の送風方向に直交する第１平面に沿って配置される第１の上流側熱交換部と、前記送風方向に直交するとともに前記第１平面よりも前記送風方向の下流側の第２平面に沿って配置される第１の下流側熱交換部と、を有し、前記第２熱交換器は、前記第１の下流側熱交換部よりも前記送風方向の上流側に前記第１平面に沿って配置される第２の上流側熱交換部と、前記第１の上流側熱交換部よりも前記送風方向の下流側に前記第２平面に沿って配置される第２の下流側熱交換部と、を有する構成としてもよい。
【００１２】
上記構成の室外機ユニットにおいて、第１熱交換器の第１の上流側熱交換部は、それよりも送風方向の下流側に配置される第２熱交換器の第１の下流側熱交換部よりも熱交換量が多い。一方、第１熱交換器の第１の下流側熱交換部は、それよりも送風方向の上流側に配置される第２熱交換器の第２の上流側熱交換部よりも熱交換量が少ない。このように、第１熱交換器の一部が第２熱交換器よりも熱交換量が多く、第１熱交換器の他の一部が第２熱交換器よりも熱交換量が少ないため、第１熱交換器と第２熱交換器を送風方向の異なる位置に配置した場合に比べ、第１熱交換器と第２熱交換器との熱交換量の差を低減することができる。
【００１３】
上記構成の室外機ユニットは、前記第１冷媒回路を流通する前記第１可燃性冷媒を圧縮する第１圧縮機と、前記第１圧縮機により圧縮された前記第１可燃性冷媒を前記第１熱交換器へ吐出するとともに前記第１室内機ユニットから供給される前記第１可燃性冷媒を前記第１圧縮機に吸入させる冷房サイクルと、前記第１圧縮機により圧縮された前記第１可燃性冷媒を前記第１室内機ユニットへ吐出するとともに前記第１熱交換器から供給される前記第１可燃性冷媒を前記第１圧縮機に吸入させる暖房サイクルと、を切り換える第１切換弁と、前記第２冷媒回路を流通する前記第２可燃性冷媒を圧縮する第２圧縮機と、前記第２圧縮機により圧縮された前記第２可燃性冷媒を前記第２熱交換器へ吐出するとともに前記第２室内機ユニットから供給される前記第２可燃性冷媒を前記第２圧縮機に吸入させる冷房サイクルと、前記第２圧縮機により圧縮された前記第２可燃性冷媒を前記第２室内機ユニットへ吐出するとともに前記第２熱交換器から供給される前記第２可燃性冷媒を前記第２圧縮機に吸入させる暖房サイクルと、を切り換える第２切換弁と、を備えてもよい。
【００１４】
第１可燃性冷媒が流通する第１冷媒回路を冷房サイクルと暖房サイクルとで切り換える第１切換弁と、第２可燃性冷媒が流通する第２冷媒回路を冷房サイクルと暖房サイクルとで切り換える第２切換弁と、を備えるため、第１室内機ユニットと第２室内機ユニットの双方で暖房運転と冷房運転を切り換えることができる。
【００１５】
上記構成の室外機ユニットにおいて、前記第１熱交換器が着霜したことを検知する第１着霜検知部と、前記第２熱交換器が着霜したことを検知する第２着霜検知部と、前記第１切換弁および前記第２切換弁を制御する制御部と、を備え、前記制御部は、前記第１冷媒回路および前記第２冷媒回路の双方が前記暖房サイクルを形成している状態において、前記第１着霜検知部が前記第１熱交換器の着霜を検知した場合と前記第２着霜検知部が前記第２熱交換器の着霜を検知した場合のいずれにおいても、前記第１冷媒回路および前記第２冷媒回路の双方が前記暖房サイクルを前記冷房サイクルに一時的に切り換えて除霜するよう前記第１切換弁および前記第２切換弁を制御してもよい。
【００１６】
ファンによる外気の送風方向に直交する同一平面上に第１冷媒回路に接続される熱交換部と第２冷媒回路に接続される熱交換部を配置した場合、上方に配置される熱交換部が接続される冷媒回路の暖房サイクルを冷房サイクルに一時的に切り換えて除霜すると、水滴が下方へ導かれる。下方に配置される熱交換部が着霜した状態である場合、水滴によって着霜が悪化してしまう。
【００１７】
そこで、制御部は、第１熱交換器の着霜を検知した場合と第２熱交換器の着霜を検知した場合のいずれにおいても、第１冷媒回路および第２冷媒回路の双方で除霜するように第１切換弁および第２切換弁を制御している。これにより、上方に配置される熱交換部から除霜により発生した水滴が下方へ導かれても、下方に配置される熱交換部でも除霜が行われているため、下方の熱交換部の着霜が悪化することが抑制される。
【００１８】
本発明の一態様に係る空気調和装置は、上記のいずれかに記載の室外機ユニットと、前記第１室内機ユニットと、前記第２室内機ユニットと、を備える。
本発明の一態様に係る空気調和装置によれば、室外機ユニットが、第１熱交換器との間で第１可燃性冷媒を循環させるための第１冷媒回路と、第２熱交換器との間で第２可燃性冷媒を循環させるための第２冷媒回路とを備え、いずれの冷媒回路でも地球温暖化係数の低い可燃性冷媒が用いられるため、環境への負荷を軽減することができる。
【００１９】
本発明の一態様に係る空気調和装置は、複数の前記第１室内機ユニットと、複数の前記第２室内機ユニットと、を備えてもよい。
本発明の一態様に係る空気調和装置は、第１冷媒回路に接続される第１室内機ユニットと、第２冷媒回路に接続される第２室内機ユニットがそれぞれ複数台であるため、１台の室外機ユニットにより多数の室内機ユニットを同時に運転することができる。
【発明の効果】
【００２０】
本発明によれば複数の室内機ユニットに接続される室外機ユニットおよびそれを備えた空気調和装置において、地球温暖化係数の低い可燃性冷媒を用いて環境への負荷を軽減しつつ、室内機ユニットを設置可能な空間の制限を抑制することができる。
【図面の簡単な説明】
【００２１】
【図１】本発明の第１実施形態に係る空気調和装置の冷媒回路を示す概略構成図である。
【図２】図１に示す室外機ユニットの正面図である。
【図３】図２に示す室外機ユニットのＡ−Ａ矢視断面図である。
【図４】図２に示す室外機ユニットのＢ−Ｂ矢視断面図である。
【図５】第２実施形態の室外機ユニットを側方からみた断面図である。
【図６】図５に示す室外機ユニットのＣ−Ｃ矢視断面図である。
【図７】図５に示す室外機ユニットのＤ−Ｄ矢視断面図である。
【図８】第２実施形態の室外機ユニットが実行する処理を示すフローチャートである。
【図９】第２実施形態の室外機ユニットの制御装置が実行する処理を示すフローチャートである。
【発明を実施するための形態】
【００２２】
〔第１実施形態〕
以下、本発明の第１実施形態に係る空気調和装置について、図面を参照して説明する。図１は、本実施形態の空気調和装置の冷媒回路を示す概略構成図である。図１に示すように、本実施形態の空気調和装置は、室外機ユニット１００と、第１室内機ユニット２００と、第２室内機ユニット３００とを備える。本実施形態の空気調和装置は、１台の室外機ユニット１００に対してそれぞれ異なる空間（部屋）に設置される第１室内機ユニット２００および第２室内機ユニット３００が接続されるマルチ形空気調和装置である。
【００２３】
図１に示すように、室外機ユニット１００は、屋外に設置されており、室外ファン２０と、第１室外熱交換器（第１熱交換器）３０と、第１着霜検知センサ（第１着霜検知部）３１と、第１圧縮機４０と、第１四方切換弁（第１切換弁）５０と、第１電子膨張弁６０と、第１アキュムレータ７０と、第１冷媒回路８０と、制御装置（制御部）９０と、を備える。第１冷媒回路８０は、第１室外熱交換器３０と、第１圧縮機４０と、第１四方切換弁５０と、第１電子膨張弁６０と、第１室内機ユニット２００の第１室内熱交換器２１０とを、冷媒配管８１により接続し、第１可燃性冷媒を流通させる回路である。
【００２４】
また、図１に示すように、室外機ユニット１００は、第２室外熱交換器（第２熱交換器）３５と、第２着霜検知センサ（第２着霜検知部）３６と、第２圧縮機４５と、第２四方切換弁（第２切換弁）５５と、第２電子膨張弁６５と、第２アキュムレータ７５と、第２冷媒回路８５と、を備える。第２冷媒回路８５は、第２室外熱交換器３５と、第２圧縮機４５と、第２四方切換弁５５と、第２電子膨張弁６５と、第２室内機ユニット３００の第２室内熱交換器３１０とを、冷媒配管８６により接続し、第２可燃性冷媒を流通させる回路である。
【００２５】
このように、本実施形態の室外機ユニット１００は、第１室内機ユニット２００に接続される第１冷媒回路８０と、第２室内機ユニット３００に接続される第２冷媒回路８５とを備える。第１冷媒回路８０と第２冷媒回路８５とは、独立した冷媒回路であるため、第１冷媒回路８０の第１可燃性冷媒は第２室内機ユニット３００へは導かれない。同様に、第２冷媒回路８５の第２可燃性冷媒は第１室内機ユニット２００へは導かれない。
【００２６】
ここで、第１冷媒回路８０を循環する第１可燃性冷媒および第２冷媒回路８５を循環する可燃性冷媒は、例えば、Ｒ４１０Ａ冷媒よりも地球温暖化係数が低いＲ３２冷媒である。
【００２７】
次に、制御装置９０が第１四方切換弁５０を制御することにより、第１室内機ユニット２００が接続される第１冷媒回路８０を、暖房サイクルと冷房サイクルとで切り換えることについて説明する。制御装置９０は、第１冷媒回路８０により暖房サイクルを形成する場合、第１四方切換弁５０を図１に実線で示す接続状態に切り替える。図１に実線で示す暖房サイクルにおいて、第１室外熱交換器３０は蒸発器として機能し、第１室内熱交換器２１０は凝縮器として機能する。
【００２８】
第１冷媒回路８０の暖房サイクルにおいて、第１圧縮機４０は、第１可燃性冷媒を圧縮し、冷媒配管８１を介して圧縮した第１可燃性冷媒を第１室内機ユニット２００の第１室内熱交換器２１０へ吐出（供給）する。第１室内熱交換器２１０へ供給された第１可燃性冷媒は、第１室内ファン２２０により送風される室内空気との熱交換により放熱する。第１室内熱交換器２１０で凝縮された第１可燃性冷媒は、第１電子膨張弁６０により膨張され、第１室外熱交換器３０へ供給される。
【００２９】
第１室外熱交換器３０は、第１電子膨張弁６０から供給された第１可燃性冷媒を内部で蒸発させ、蒸発潜熱を外気から吸熱して外気を冷却する。第１室外熱交換器３０で蒸発した第１可燃性冷媒は、第１アキュムレータ７０で気液分離されて気相の第１可燃性冷媒が第１圧縮機４０に吸入（供給）される。
【００３０】
次に、第１冷媒回路８０の冷房サイクルについて説明する。制御装置９０は、第１冷媒回路８０により冷房サイクルを形成する場合、第１四方切換弁５０を図１に破線で示す接続状態に切り替える。図１に破線で示す冷房サイクルにおいて、第１室外熱交換器３０は凝縮器として機能し、第１室内熱交換器２１０は蒸発器として機能する。
【００３１】
第１冷媒回路８０の冷房サイクルにおいて、第１圧縮機４０は、第１冷媒回路８０を流通する第１可燃性冷媒を圧縮し、冷媒配管８１を介して圧縮した第１可燃性冷媒を第１室外熱交換器３０へ吐出（供給）する。第１室外熱交換器３０へ供給された第１可燃性冷媒は、室外ファン２０により送風される外気との熱交換により放熱する。第１室外熱交換器３０で凝縮された第１可燃性冷媒は、第１電子膨張弁６０により膨張され、第１室内機ユニット２００の第１室内熱交換器２１０へ供給される。
【００３２】
第１室内熱交換器２１０は、第１電子膨張弁６０から供給された第１可燃性冷媒を内部で蒸発させ、蒸発潜熱を室内空気から吸熱して室内空気を冷却する。第１室内熱交換器２１０で蒸発した第１可燃性冷媒は、第１アキュムレータ７０で気液分離されて気相の第１可燃性冷媒が第１圧縮機４０に吸入（供給）される。
【００３３】
次に、制御装置９０が第２四方切換弁５５を制御することにより、第２室内機ユニット３００が接続される第２冷媒回路８５を、暖房サイクルと冷房サイクルとで切り換えることについて説明する。制御装置９０は、第２冷媒回路８５により暖房サイクルを形成する場合、第２四方切換弁５５を図１に実線で示す接続状態に切り替える。図１に実線で示す暖房サイクルにおいて、第２室外熱交換器３５は蒸発器として機能し、第２室内熱交換器３１０は凝縮器として機能する。
【００３４】
第２冷媒回路８５の暖房サイクルにおいて、第２圧縮機４５は、第２冷媒回路８５を流通する第２可燃性冷媒を圧縮し、冷媒配管８６を介して圧縮した第２可燃性冷媒を第２室内機ユニット３００の第２室内熱交換器３１０へ吐出（供給）する。第２室内熱交換器３１０へ供給された第２可燃性冷媒は、第２室内ファン３２０により送風される室内空気との熱交換により放熱する。第２室内熱交換器３１０で凝縮された第２可燃性冷媒は、第２電子膨張弁６５により膨張され、第２室外熱交換器３５へ供給される。
【００３５】
第２室外熱交換器３５は、第２電子膨張弁６５から供給された第２可燃性冷媒を内部で蒸発させ、蒸発潜熱を外気から吸熱して外気を冷却する。第２室外熱交換器３５で蒸発した第２可燃性冷媒は、第１アキュムレータ７０で気液分離されて気相の第２可燃性冷媒が第２圧縮機４５に吸入（供給）される。
【００３６】
次に、第２冷媒回路８５の冷房サイクルについて説明する。制御装置９０は、第２冷媒回路８５により冷房サイクルを形成する場合、第２四方切換弁５５を図１に破線で示す接続状態に切り替える。図１に破線で示す冷房サイクルにおいて、第２室外熱交換器３５は凝縮器として機能し、第２室内熱交換器３１０は蒸発器として機能する。
【００３７】
第２冷媒回路８５の冷房サイクルにおいて、第２圧縮機４５は、第２可燃性冷媒を圧縮し、冷媒配管８６を介して圧縮した第１可燃性冷媒を第２室外熱交換器３５へ吐出（供給）する。第２室外熱交換器３５へ供給された第２可燃性冷媒は、室外ファン２０により送風される外気との熱交換により放熱する。第２室外熱交換器３５で凝縮された第２可燃性冷媒は、第２電子膨張弁６５により膨張され、第２室内機ユニット３００の第２室内熱交換器３１０へ供給される。
【００３８】
第２室内熱交換器３１０は、第２電子膨張弁６５から供給された第２可燃性冷媒を内部で蒸発させ、蒸発潜熱を室内空気から吸熱して室内空気を冷却する。第２室内熱交換器３１０で蒸発した第２可燃性冷媒は、第２アキュムレータ７５で気液分離されて気相の第２可燃性冷媒が第２圧縮機４５に吸入（供給）される。
【００３９】
次に、第１冷媒回路８０および第２冷媒回路８５の除霜運転（デフロスト運転）について説明する。第１着霜検知センサ（第１着霜検知部）３１は第１室外熱交換器３０の表面温度を検出するセンサであり、第２着霜検知センサ（第２着霜検知部）３６は第２室外熱交換器３５の表面温度を検出するセンサである。
【００４０】
制御装置９０は、第１冷媒回路８０が暖房サイクルを形成している際に、第１着霜検知センサ３１が検知する温度が所定の第１着霜温度を下回った場合に、第１室外熱交換器３０の着霜を除去するために暖房サイクルを一時的に冷房サイクルに切り換えるよう第１四方切換弁５０を制御する。制御装置９０は、第１着霜検知センサ３１が検知する温度が所定の第１着霜温度あるいはそれに閾値を加算した温度を上回った場合に、冷房サイクルを暖房サイクルに戻すよう第１四方切換弁５０を制御する。
【００４１】
また、制御装置９０は、第１冷媒回路８０が暖房サイクルを形成している際に、第２着霜検知センサ３６が検知する温度が所定の第２着霜温度を下回った場合に、第２室外熱交換器３５の着霜を除去するために暖房サイクルを一時的に冷房サイクルに切り換えるよう第２四方切換弁５５を制御する。制御装置９０は、第２着霜検知センサ３６が検知する温度が所定の第２着霜温度あるいはそれに閾値を加算した温度を上回った場合に、冷房サイクルを暖房サイクルに戻すよう第２四方切換弁５５を制御する。
【００４２】
次に、図２から図４を参照して、室外機ユニット１００について説明する。図２は、図１に示す室外機ユニット１００の正面図である。図３は、図２に示す室外機ユニット１００のＡ−Ａ矢視断面図である。図４は、図２に示す室外機ユニット１００のＢ−Ｂ矢視断面図である。図３および図４においては、室外機ユニット１００が備える構成のうち、筐体１０，室外ファン２０，第１室外熱交換器３０，第２室外熱交換器３５，制御装置９０を除く他の構成の図示を省略している。
【００４３】
図２から図４に示すように、筐体１０は、室外ファン２０，第１室外熱交換器３０，第２室外熱交換器３５，制御装置９０を含む室外機ユニット１００の構成を内部に収容する箱型の構造物である。図２に示すように、筐体１０は設置面Ｓに設置されており、室外ファン２０により送風される外気を吐出するための吐出開口１０ａが正面に形成されている。
【００４４】
図２および図３に示すように、室外ファン２０は、軸線Ｘ回りに回転することにより、筐体１０の背面側に設けられた吸入開口１０ｂから外気を吸入し、吐出開口１０ａから軸線Ｘの方向と一致した送風方向ＢＤに沿って外気を吐出させる。
【００４５】
図３に示すように、第１室外熱交換器３０は、平面視で略Ｌ字状に形成されており、背面側熱交換部（第１熱交換部）３０ａと、側面側熱交換部３０ｂと、角側熱交換部３０ｃと、を備える。背面側熱交換部３０ａは、例えば、送風方向ＢＤと一致するように間隔を空けて配置される複数のフィン（図示略）を有し、フィンに形成された挿入穴に冷媒配管８１が蛇行するように挿入されたフィンチューブ式の熱交換器である。また、側面側熱交換部３０ｂおよび角側熱交換部３０ｃも、例えば、背面側熱交換部３０ａと同様のフィンチューブ式の熱交換器である。
【００４６】
背面側熱交換部３０ａは、室外ファン２０による外気の送風方向ＢＤと直交する第１平面ＰＬ１に沿って鉛直方向に延びるように配置される。側面側熱交換部３０ｂは、送風方向ＢＤと平行な第３平面ＰＬ３に沿って鉛直方向に延びるように配置される。角側熱交換部３０ｃは、背面側熱交換部３０ａと側面側熱交換部３０ｂを接続するように円弧形状に沿って折れ曲がり、かつ鉛直方向に延びるように配置される。
【００４７】
図３に示すように、第２室外熱交換器３５は、平面視で略Ｌ字状に形成されており、背面側熱交換部（第２熱交換部）３５ａと、側面側熱交換部３５ｂと、角側熱交換部３５ｃと、を備える。背面側熱交換部３５ａは、例えば、送風方向ＢＤと一致するように間隔を空けて配置される複数のフィン（図示略）を有し、フィンに形成された挿入穴に冷媒配管８６が蛇行するように挿入されたフィンチューブ式の熱交換器である。また、側面側熱交換部３５ｂおよび角側熱交換部３５ｃも、例えば、背面側熱交換部３５ａと同様のフィンチューブ式の熱交換器である。
【００４８】
背面側熱交換部３５ａは、室外ファン２０による外気の送風方向ＢＤと直交する第２平面ＰＬ２に沿って鉛直方向に延びるように配置される。側面側熱交換部３５ｂは、送風方向ＢＤと平行な第４平面ＰＬ４に沿って鉛直方向に延びるように配置される。角側熱交換部３５ｃは、背面側熱交換部３５ａと側面側熱交換部３５ｂを接続するように円弧形状に沿って折れ曲がり、かつ鉛直方向に延びるように配置される。
【００４９】
図３および図４に示すように、第２室外熱交換器３５の背面側熱交換部３５ａが配置される第２平面ＰＬ２は、第１室外熱交換器３０の背面側熱交換部３０ａが配置される第１平面ＰＬ１よりも、送風方向ＢＤの下流側に配置されている。そのため、室外ファン２０により送風される外気は、吸入開口１０ｂから吸入された後、第１室外熱交換器３０の背面側熱交換部３０ａを通過し、その後に、第２室外熱交換器３５の背面側熱交換部３５ａを通過する。
【００５０】
このように、第１室外熱交換器３０と第２室外熱交換器３５は、共通の室外ファン２０により送風される外気が流通するようになっている。また、外気の送風方向ＢＤにおいて、第１室外熱交換器３０が第２室外熱交換器３５よりも上流側に配置され、第２室外熱交換器３５が第１室外熱交換器３０よりも下流側に配置されている。
【００５１】
第１室外熱交換器３０が第２室外熱交換器３５よりも上流側に配置されるため、冷房サイクルにおいては、第１室外熱交換器３０により加熱された外気が第２室外熱交換器３５へ流入する。また、暖房サイクルにおいては、第１室外熱交換器３０により冷却された外気が第２室外熱交換器３５へ流入する。そのため、第１冷媒回路８０と第２冷媒回路８５の双方で可燃性冷媒を循環させる運転状態とした場合、冷房サイクルと暖房サイクルのいずれであっても、第１室外熱交換器３０よりも第２室外熱交換器３５の熱交換量が低下する。
【００５２】
本実施形態では、例えば、第１冷媒回路８０に接続される第１室内機ユニット２００の熱交換能力を、第２冷媒回路８５に接続される第２室内機ユニット３００の熱交換能力よりも高くするのが望ましい。言い換えれば、室外機ユニット１００に接続する２つの室内機ユニットのうち、いずれか一方の熱交換能力の高い方を第１冷媒回路８０に接続し、いずれか他方の熱交換能力の低い方を第２冷媒回路８５に接続するのが望ましい。このようにすることで、第２室外熱交換器３５よりも熱交換量の多い第１室外熱交換器３０を、熱交換能力の高い室内機ユニットに対して利用することができる。
【００５３】
以上説明した本実施形態が奏する作用および効果について説明する。
本実施形態の空気調和装置によれば、第１室内機ユニット２００と第１室外熱交換器３０との間で第１可燃性冷媒を循環させるための第１冷媒回路８０と、第２室内機ユニット３００と第２室外熱交換器３５との間で第２可燃性冷媒を循環させるための第２冷媒回路８５とを備え、いずれの冷媒回路でも地球温暖化係数の低い可燃性冷媒が用いられるため、環境への負荷を軽減することができる。
【００５４】
また、本実施形態の室外機ユニット１００は、第１室内機ユニット２００および第２室内機ユニット３００の双方に接続される単一の冷媒回路を備えるのではなく、双方をそれぞれ接続する独立した２つの冷媒回路を備える。そのため、２つの室内機ユニットを単一の冷媒回路に接続する場合に比べ、各冷媒回路に封入される可燃性冷媒の量を少なくし、室内機ユニットを設置可能な空間の制限を抑制することができる。
【００５５】
また、本実施形態の室外機ユニット１００は、第１室外熱交換器３０の背面側熱交換部３０ａと第２室外熱交換器３５の背面側熱交換部３５ａとが、それぞれ外気の送風方向ＢＤの異なる位置に配置されるため、各熱交換部を外気が通過する開口面積を大きく確保し、熱交換効率を向上させることができる。
【００５６】
また、本実施形態の室外機ユニット１００は、第１室外熱交換器３０と第２室外熱交換器３５の双方を暖房サイクルまたは冷房サイクルのいずれかに切り換えた場合、送風方向ＢＤの上流側に配置される背面側熱交換部３０ａで熱交換した後の外気が背面側熱交換部３５ａへ流入するため、背面側熱交換部３０ａに比べて背面側熱交換部３５ａの熱交換量が低下する。そこで、第１冷媒回路８０に接続される第１室内機ユニット２００の熱交換能力を第２冷媒回路８５に接続される第２室内機ユニット３００の熱交換能力よりも高くすることで、背面側熱交換部３０ａと背面側熱交換部３５ａの熱交換量の差による各室内機ユニットの性能低下を抑制することができる。
【００５７】
〔第２実施形態〕
次に、本発明の第２実施形態に係る空気調和装置について説明する。本実施形態は、第１実施形態の変形例であり、以下で特に説明する場合を除き、第１実施形態と同様であるものとし、以下での説明を省略する。
【００５８】
第１実施形態の空気調和装置の室外機ユニット１００は、第１室外熱交換器３０の背面側熱交換部３０ａを送風方向ＢＤの上流側に配置し、第２室外熱交換器３５の背面側熱交換部３５ａを送風方向ＢＤの下流側に配置するものであった。それに対して、本実施形態の室外機ユニット１００Ａは、第１室外熱交換器３０Ａの一部を第２室外熱交換器３５Ａよりも送風方向ＢＤの上流側に配置し、第１室外熱交換器３０Ａの他の部分を第２室外熱交換器３５Ａよりも送風方向ＢＤの下流側に配置するものである。
【００５９】
以下、図面を参照して、本実施形態の室外機ユニット１００Ａについて説明する。図５は、本実施形態の室外機ユニット１００Ａを側方からみた断面図である。図６は、図５に示す室外機ユニット１００ＡのＣ−Ｃ矢視断面図である。図７は、図５に示す室外機ユニット１００ＡのＤ−Ｄ矢視断面図である。
【００６０】
図５から図７に示すように、第１室外熱交換器３０Ａは、平面視で略Ｌ字状に形成されており、背面側熱交換部（第１の上流側熱交換部）３０Ａａ１と、背面側熱交換部（第１の下流側熱交換部）３０Ａａ２と、側面側熱交換部３０Ａｂ１と、側面側熱交換部３０Ａｂ２と、角側熱交換部３０Ａｃ１と、角側熱交換部３０Ａｃ２と、を備える。
【００６１】
背面側熱交換部３０Ａａ１および背面側熱交換部３０Ａａ２は、例えば、送風方向ＢＤと一致するように間隔を空けて配置される複数のフィン（図示略）を有し、フィンに形成された挿入穴に冷媒配管８１が蛇行するように挿入されたフィンチューブ式の熱交換器である。また、側面側熱交換部３０Ａｂ１，側面側熱交換部３０Ａｂ２，角側熱交換部３０Ａｃ１および角側熱交換部３０Ａｃ２も、例えば、背面側熱交換部３０Ａａ１および背面側熱交換部３０Ａａ２と同様のフィンチューブ式の熱交換器である。
【００６２】
背面側熱交換部３０Ａａ１は、室外ファン２０による外気の送風方向ＢＤと直交する第１平面ＰＬ１に沿って鉛直方向に延びるように配置される。一方、背面側熱交換部３０Ａａ１と同じ冷媒配管８１が挿入される背面側熱交換部３０Ａａ２は、室外ファン２０による外気の送風方向ＢＤと直交する第２平面ＰＬ２に沿って鉛直方向に延びるように配置される。第２平面ＰＬ２は、第１平面ＰＬ１よりも送風方向ＢＤの下流側となっている。
【００６３】
図５に示すように、背面側熱交換部３０Ａａ１の鉛直方向の高さと、背面側熱交換部３０Ａａ２の鉛直方向の高さは等しい。また、背面側熱交換部３０Ａａ１と背面側熱交換部３０Ａａ２との接続部分は、室外ファン２０の軸線Ｘが配置される高さと一致している。そのため、室外ファン２０により送風される外気の単位時間当たりの通風量は、背面側熱交換部３０Ａａ１と背面側熱交換部３０Ａａ２とで略等しくなる。
【００６４】
側面側熱交換部３０Ａｂ１は送風方向ＢＤと平行な第３平面ＰＬ３に沿って鉛直方向に延びるように配置され、側面側熱交換部３０Ａｂ２は送風方向ＢＤと平行な第４平面ＰＬ４に沿って鉛直方向に延びるように配置される。角側熱交換部３０Ａｃ１は、背面側熱交換部３０Ａａ１と側面側熱交換部３０Ａｂ１を接続するように円弧形状に沿って折れ曲がり、かつ鉛直方向に延びるように配置される。角側熱交換部３０Ａｃ２は、背面側熱交換部３０Ａａ２と側面側熱交換部３０Ａｂ２を接続するように円弧形状に沿って折れ曲がり、かつ鉛直方向に延びるように配置される。
【００６５】
図５から図７に示すように、第２室外熱交換器３５Ａは、平面視で略Ｌ字状に形成されており、背面側熱交換部（第２の下流側熱交換部）３５Ａａ１と、背面側熱交換部（第２の上流側熱交換部）３５Ａａ２と、側面側熱交換部３５Ａｂ１と、側面側熱交換部３５Ａｂ２と、角側熱交換部３５Ａｃ１と、角側熱交換部３５Ａｃ２と、を備える。
【００６６】
背面側熱交換部３５Ａａ１および背面側熱交換部３５Ａａ２は、例えば、送風方向ＢＤと一致するように間隔を空けて配置される複数のフィン（図示略）を有し、フィンに形成された挿入穴に冷媒配管８１が蛇行するように挿入されたフィンチューブ式の熱交換器である。また、側面側熱交換部３５Ａｂ１，側面側熱交換部３５Ａｂ２，角側熱交換部３５Ａｃ１および角側熱交換部３５Ａｃ２も、例えば、背面側熱交換部３５Ａａ１および背面側熱交換部３５Ａａ２と同様のフィンチューブ式の熱交換器である。
【００６７】
背面側熱交換部３５Ａａ１は、室外ファン２０による外気の送風方向ＢＤと直交する第２平面ＰＬ２に沿って鉛直方向に延びるように配置される。一方、背面側熱交換部３５Ａａ１と同じ冷媒配管８６が挿入される背面側熱交換部３５Ａａ２は、室外ファン２０による外気の送風方向ＢＤと直交する第１平面ＰＬ１に沿って鉛直方向に延びるように配置される。
【００６８】
図５に示すように、背面側熱交換部３５Ａａ１の鉛直方向の高さと、背面側熱交換部３５Ａａ２の鉛直方向の高さは等しい。また、背面側熱交換部３５Ａａ１と背面側熱交換部３５Ａａ２との接続部分は、室外ファン２０の軸線Ｘが配置される高さと一致している。そのため、室外ファン２０により送風される外気の単位時間当たりの通風量は、背面側熱交換部３５Ａａ１と背面側熱交換部３５Ａａ２とで略等しくなる。
【００６９】
側面側熱交換部３５Ａｂ１は送風方向ＢＤと平行な第４平面ＰＬ４に沿って鉛直方向に延びるように配置され、側面側熱交換部３５Ａｂ２は送風方向ＢＤと平行な第３平面ＰＬ３に沿って鉛直方向に延びるように配置される。角側熱交換部３５Ａｃ１は、背面側熱交換部３５Ａａ１と側面側熱交換部３５Ａｂ１を接続するように円弧形状に沿って折れ曲がり、かつ鉛直方向に延びるように配置される。角側熱交換部３５Ａｃ２は、背面側熱交換部３５Ａａ２と側面側熱交換部３５Ａｂ２を接続するように円弧形状に沿って折れ曲がり、かつ鉛直方向に延びるように配置される。
【００７０】
図５から図７に示すように、背面側熱交換部３５Ａａ２は背面側熱交換部３０Ａａ２よりも送風方向ＢＤの上流側に配置されている。また、背面側熱交換部３５Ａａ１は背面側熱交換部３０Ａａ１よりも送風方向ＢＤの下流側に配置されている。
【００７１】
そのため、第１室外熱交換器３０Ａの背面側熱交換部３０Ａａ１は、それよりも送風方向ＢＤの下流側に配置される第２室外熱交換器３５の背面側熱交換部３５Ａａ１よりも熱交換量が多い。一方、第１室外熱交換器３０Ａの背面側熱交換部３０Ａａ２は、それよりも送風方向ＢＤの上流側に配置される第２室外熱交換器３５の背面側熱交換部３５Ａａ２よりも熱交換量が少ない。
【００７２】
このように、第１室外熱交換器３０Ａの一部が第２室外熱交換器３５Ａよりも熱交換量が多く、第１室外熱交換器３０の他の一部が第２室外熱交換器３５Ａよりも熱交換量が少ない。そのため、第１室外熱交換器３０Ａと第２室外熱交換器３５Ａを送風方向ＢＤの異なる位置に配置した場合に比べ、第１室外熱交換器３０Ａと第２室外熱交換器３５Ａとの熱交換量の差を低減することができる。
【００７３】
特に、本実施形態のように、背面側熱交換部３０Ａａ１の鉛直方向の高さと背面側熱交換部３０Ａａ２の鉛直方向の高さを等しくし、かつ背面側熱交換部３５Ａａ１の鉛直方向の高さと背面側熱交換部３５Ａａ２の鉛直方向の高さを等しくすることで、第１室外熱交換器３０Ａと第２室外熱交換器３５Ａの熱交換量を等しくすることができる。
【００７４】
以上のように、本実施形態の室外機ユニット１００Ａは、第１室外熱交換器３０Ａと第２室外熱交換器３５Ａの熱交換量を等しくすることができる点で有利である。しかしながら、第１冷媒回路８０と第２冷媒回路８５の異なる冷媒回路に属する熱交換部が同一平面状に配置されるため、除霜運転を行う際に不具合が生じる。
【００７５】
具体的には、背面側熱交換部３０Ａａ１の下方に背面側熱交換部３５Ａａ２が配置されるため、第１冷媒回路８０にて除霜運転を行っている際には、除霜運転により生成された水滴が背面側熱交換部３５Ａａ２に導かれる。この場合、第２冷媒回路８５にて暖房サイクルを形成していると、背面側熱交換部３５Ａａ２において着霜が促進されてしまう。
【００７６】
同様に、背面側熱交換部３５Ａａ１の下方に背面側熱交換部３０Ａａ２が配置されるため、第２冷媒回路８５にて除霜運転を行っている際には、除霜運転により生成された水滴が背面側熱交換部３０Ａａ２に導かれる。この場合、第１冷媒回路８０にて暖房サイクルを形成していると、背面側熱交換部３０Ａａ２において着霜が促進されてしまう。
【００７７】
そこで、除霜運転を行う際に着霜が促進されることを抑制するように適切な除霜運転を行う処理について、図８および図９を参照して説明する。図８および図９は、本実施形態の室外機ユニット１００Ａの制御装置９０が実行する処理を示すフローチャートである。図８および図９に示す各処理は、制御装置９０のＣＰＵ等の演算処理部（図示略）が記憶部（図示略）からプログラムを読み出して実行することにより行われる。
【００７８】
ステップＳ８０１で、制御装置９０は、第１室外熱交換器３０Ａが着霜したかどうかを判断し、ＹＥＳであればステップＳ８０３へ処理を進め、ＮＯであればステップＳ８０２へ処理を進める。制御装置９０は、第１着霜検知センサ３１が検知する温度が所定の第１着霜温度を下回った場合に、第１室外熱交換器３０Ａが着霜したと判断する。
【００７９】
ステップＳ８０２で、制御装置９０は、第２室外熱交換器３５Ａが着霜したかどうかを判断し、ＹＥＳであればステップＳ８０３へ処理を進め、ＮＯであればステップＳ８０１へ処理を進める。制御装置９０は、第２着霜検知センサ３６が検知する温度が所定の第２着霜温度を下回った場合に、第２室外熱交換器３５Ａが着霜したと判断する。ステップＳ８０２で、制御装置９０は、第１室外熱交換器３０Ａまたは第２室外熱交換器３５Ａのいずれか一方が着霜したと検知された場合に、ステップＳ８０３以降の処理が実行される。
【００８０】
ステップＳ８０３で、制御装置９０は、第１冷媒回路８０が暖房サイクルを形成しているかどうかを判断し、ＹＥＳであればステップＳ８０４へ処理を進め、ＮＯであればステップＳ８０１へ処理を進める。
【００８１】
ステップＳ８０４で、制御装置９０は、第２冷媒回路８５が暖房サイクルを形成しているかどうかを判断し、ＹＥＳであればステップＳ８０５へ処理を進め、ＮＯであればステップＳ８０１へ処理を進める。制御装置９０は、第１冷媒回路８０と第２冷媒回路８５の双方が暖房サイクルを形成していると判断した場合に、ステップＳ８０５以降の処理を実行する。
【００８２】
制御装置９０は、ステップＳ８０５で第１冷媒回路８０を暖房サイクルから冷房サイクルに切り換えるよう第１四方切換弁５０を制御し、ステップＳ８０６で第２冷媒回路８５を暖房サイクルから冷房サイクルに切り換えるよう第２四方切換弁５５を制御する。これにより、第１冷媒回路８０と第２冷媒回路８５の双方が同時に除霜運転を行う状態となる。そのため、第１冷媒回路８０と第２冷媒回路８５の一方が除霜運転（冷房サイクル）を行い、第１冷媒回路８０と第２冷媒回路８５の一方が暖房運転（暖房サイクル）を行うことによる着霜の促進を抑制することができる。
【００８３】
ステップＳ８０７で、制御装置９０は、第１室外熱交換器３０Ａが着霜しているかどうかを判断し、ＹＥＳであればステップＳ８０７を繰り返し、ＮＯであればステップＳ８０８へ処理を進める。制御装置９０は、第１着霜検知センサ３１が検知する温度が所定の第１着霜温度を下回る場合に、第１室外熱交換器３０Ａが着霜していると判断する。
【００８４】
ステップＳ８０８で、制御装置９０は、第２室外熱交換器３５Ａが着霜しているかどうかを判断し、ＹＥＳであればステップＳ８０７へ処理を進め、ＮＯであればステップＳ８０９へ処理を進める。制御装置９０は、第２着霜検知センサ３６が検知する温度が所定の第２着霜温度を下回る場合に、第２室外熱交換器３５Ａが着霜していると判断する。
【００８５】
制御装置９０は、ステップＳ８０７またはステップＳ８０８でＹＥＳと判断する際は、第１室外熱交換器３０Ａと第２室外熱交換器３５Ａの少なくともいずれかが着霜しているため、除霜運転を継続的に実行する。制御装置９０は、ステップＳ８０７およびステップＳ８０８でＮＯと判断した場合、第１室外熱交換器３０Ａと第２室外熱交換器３５Ａのいずれにも着霜がないため、ステップＳ８０９へ処理を進める。
【００８６】
制御装置９０は、ステップＳ８０９で第１冷媒回路８０を冷房サイクルから暖房サイクルに切り換え、ステップＳ８１０で第２冷媒回路８５を冷房サイクルから暖房サイクルに切り換える。制御装置９０は、ステップＳ８１０を実行したことに応じて、本フローチャートの処理を終了させる。
【００８７】
以上説明した本実施形態において、制御装置９０は、第１冷媒回路８０および第２冷媒回路８５の双方が暖房サイクルを形成している状態において、第１着霜検知センサ３１が第１室外熱交換器３０Ａの着霜を検知した場合と第２着霜検知センサ３６が第２室外熱交換器３５Ａの着霜を検知した場合のいずれにおいても、第１冷媒回路８０および第２冷媒回路８５の双方が暖房サイクルを冷房サイクルに一時的に切り換えて除霜するよう第１四方切換弁５０および第２四方切換弁５５を制御する。
【００８８】
室外ファン２０による外気の送風方向ＢＤに直交する同一平面上に第１冷媒回路８０に接続される熱交換部と第２冷媒回路８５に接続される熱交換部を配置した場合、上方に配置される熱交換部が接続される冷媒回路の暖房サイクルを冷房サイクルに一時的に切り換えて除霜すると、水滴が下方へ導かれる。下方に配置される熱交換部が着霜した状態である場合、水滴によって着霜が悪化してしまう。
【００８９】
本実施形態では、第１室外熱交換器３０Ａの着霜を検知した場合と第２室外熱交換器３５Ａの着霜を検知した場合のいずれにおいても、第１冷媒回路８０および第２冷媒回路８５の双方で除霜するように第１四方切換弁５０および第２四方切換弁５５を制御している。これにより、上方に配置される熱交換部から除霜により発生した水滴が下方へ導かれても、下方に配置される熱交換部でも除霜が行われているため、下方の熱交換部の着霜が悪化することが抑制される。
【００９０】
〔他の実施形態〕
以上の説明において、室外機ユニット１００の第１冷媒回路８０には第１室内機ユニット２００が１台のみ接続されるものとしたが他の態様であってもよい。例えば、室外機ユニット１００の第１冷媒回路８０に２以上の複数台の第１室内機ユニット２００を接続してもよい。この場合、複数台の第１室内機ユニット２００のそれぞれに電子膨張弁を設け、複数台の第１室内機ユニット２００それぞれの適正な運転点や冷媒分配量を制御してもよい。
【００９１】
また、以上の説明において、室外機ユニット１００の第２冷媒回路８５には第２室内機ユニット３００が１台のみ接続されるものとしたが他の態様であってもよい。例えば、室外機ユニット１００の第２冷媒回路８５に２以上の複数台の第２室内機ユニット３００を接続してもよい。この場合、複数台の第２室内機ユニット３００のそれぞれに電子膨張弁を設け、複数台の第２室内機ユニット３００それぞれの適正な運転点や冷媒分配量を制御してもよい。
【符号の説明】
【００９２】
１０        筐体
２０        室外ファン
３０，３０Ａ  第１室外熱交換器
３０Ａａ１  背面側熱交換部（第１の上流側熱交換部）
３０Ａａ２  背面側熱交換部（第１の下流側熱交換部）
３０ａ      背面側熱交換部（第１熱交換部）
３１        第１着霜検知センサ（第１着霜検知部）
３５，３５Ａ  第２室外熱交換器
３５Ａａ１  背面側熱交換部（第２の下流側熱交換部）
３５Ａａ２  背面側熱交換部（第２の上流側熱交換部）
３５ａ      背面側熱交換部（第２熱交換部）
３６        第２着霜検知センサ（第２着霜検知部）
４０        第１圧縮機
４５        第２圧縮機
５０        第１四方切換弁
５５        第２四方切換弁
８０        第１冷媒回路
８５        第２冷媒回路
９０        制御装置（制御部）
１００，１００Ａ  室外機ユニット
２００      第１室内機ユニット
３００      第２室内機ユニット
ＢＤ        送風方向
ＰＬ１      第１平面
ＰＬ２      第２平面
Ｓ          設置面
Ｘ          軸線
【図１】
2020153593.tif 000003
【図２】
2020153593.tif 000004
【図３】
2020153593.tif 000005
【図４】
2020153593.tif 000006
【図５】
2020153593.tif 000007
【図６】
2020153593.tif 000008
【図７】
2020153593.tif 000009
【図８】
2020153593.tif 000010
【図９】
2020153593.tif 000011